(57)【要約】  光源のスペクトル特性と合致する光学パラメーターを有する異方性の蛍光結晶薄膜を含むバックライトシステムと、前記バックライトシステムを組み込んだ液晶表示装置を開示する。前記バックライトシステムは、２５０〜４５０ナノメートルの波長範囲に少なくとも一つのピークをもつ発光スペクトルを有する少なくとも一つの光源と、前記光源によって発せられる光の光路上に配置されるよう、前記バックライトシステムの少なくとも一つの素子上に配置される異方性の蛍光結晶薄膜（ＡＦＴＣＦ）を備える。前記異方性の蛍光結晶薄膜は、共役π系を有する少なくとも一つの多環式有機化合物のディスク状分子からなる棒状超分子によって形成されており、前記波長範囲の光に晒されるとき、偏光された可視光を発するものである。
2007508661.tif 000002
【特許請求の範囲】
【請求項１】
２５０〜４５０ナノメートルの波長範囲に少なくとも一つのピークをもつ発光スペクトルを有する光を発する少なくとも一つの光源、および前記光源によって発せられる光の光路上に配置される異方性の蛍光結晶薄膜（ＡＦＴＣＦ）を有するバックライトシステムであって、
前記ＡＦ ＴＣＦが、共役π系を有する少なくとも一つの多環式有機化合物のディスク状分子からなる棒状超分子によって形成されており、
前記棒状超分子は、好ましい配向方向を有しており、かつ、前記波長範囲内の光に晒されるとき、偏光された可視光を発するものである、バックライトシステム。
【請求項２】
前記発光スペクトルは、２６０〜３８０ｎｍの波長範囲に少なくとも一つのピークを有する、請求項１に記載のバックライトシステム。
【請求項３】
前記光源は、光学的放射のプラズマ光源、光学的放射の発光光源およびレーザーを含む群より選ばれるものである、請求項２に記載のバックライトシステム。
【請求項４】
前記システムから出力された光を平行にするために配置された光コリメーターをさらに含む、請求項１乃至３のいずれかに記載のバックライトシステム。
【請求項５】
前記光源によって発せられる光の光路においてＡＦ ＴＣＦの後に配置される可視光の偏光子をさらに含む、請求項１乃至４のいずれかに記載のバックライトシステム。
【請求項６】
前記好ましい配向方向は、前記可視光の偏光子の吸収軸に平行である、請求項５に記載のバックライトシステム。
【請求項７】
前記光源によって発せられる光およびＡＦ ＴＣＦによって発せられる蛍光を反射するための反射板をさらに含む、請求項１乃至６のいずれかに記載のバックライトシステム。
【請求項８】
前記反射板が鏡面性である、請求項７に記載のバックライトシステム。
【請求項９】
前記反射板が拡散性である、請求項７に記載のバックライトシステム。
【請求項１０】
前記反射板がブルースター角に配向されている、請求項７または８に記載のバックライトシステム。
【請求項１１】
前記反射板が、略Ｖ形状である溝のネットワークで覆われた表面を有する、請求項７または８に記載のバックライトシステム。
【請求項１２】
前記ＡＦ ＴＣＦが、前記反射板の上に配置されている、請求項７〜１１のいずれかに記載のバックライトシステム。
【請求項１３】
発せられる偏光を受けるために配置される反射偏光子をさらに含む、請求項１乃至１２のいずれかに記載のバックライトシステム。
【請求項１４】
前記反射偏光子と前記反射板との間に配置される１／４波長板をさらに含む、請求項１３に記載のバックライトシステム。
【請求項１５】
前記反射偏光子の透過軸は前記配向方向に直交である、請求項１３または１４に記載のバックライトシステム。
【請求項１６】
前記ＡＦ ＴＣＦは、前記好ましい方向に沿って３．４±０．３Åの格子面間隔を有する、請求項１乃至１５のいずれかに記載のバックライトシステム。
【請求項１７】
ディスク状分子となる少なくとも一つの前記多環式有機化合物は、複素環を含む、請求項１乃至１６のいずれかに記載のバックライトシステム。
【請求項１８】
前記ＡＦ ＴＣＦは、リオトロピック液晶から形成されている、請求項１乃至１７のいずれかに記載のバックライトシステム。
【請求項１９】
位相差板をさらに有する、請求項１乃至１８のいずれかに記載のバックライトシステム。
【請求項２０】
カラーフィルターをさらに有する、請求項１乃至１９のいずれかに記載のバックライトシステム。
【請求項２１】
共役π系を有する少なくとも一つの多環式有機化合物のディスク状分子からなる棒状超分子によって形成される少なくとも一つの層を有するバックライトシステム用の異方性蛍光結晶薄膜（ＡＦＴＣＦ）であって、
前記棒状超分子が、好ましい配向方向を有しており、かつ、２５０〜４５０ｎｍの波長範囲の光に晒されるとき偏光された可視光を発するものである、バックライトシステム用の異方性蛍光結晶薄膜（ＡＦＴＣＦ）。
【請求項２２】
ディスク状分子となる少なくとも一つの前記多環式有機化合物は、複素環を含むものである、請求項２１に記載のＡＦＴＣＦ。
【請求項２３】
前記方向に沿った格子面間隔が３．４±０．３Åである、請求項２１または２２に記載のＡＦＴＣＦ。
【請求項２４】
前記層は、可視光の偏光子および／または位相差板として機能する、請求項２１〜２３のいずれかに記載のＡＦＴＣＦ。
【請求項２５】
前記膜は、偏光子をさらに有する、請求項２１〜２４のいずれかに記載のＡＦＴＣＦ。
【請求項２６】
前記膜は、位相差板をさらに有する、請求項２１〜２５のいずれかに記載のＡＦＴＣＦ。
【請求項２７】
前記膜は、カラーフィルターをさらに有する、請求項２１〜２６のいずれかに記載のＡＦＴＣＦ。
【請求項２８】
少なくとも一つの前記多環式有機化合物は、ビスベンゾイミダゾ［２，１-ｂ：１´，２´-ｊ］ベンゾ［ｌｍｎ］［３，８］フェナントロリン-６，９-ジオンのスルホン化物である、請求項２１〜２７のいずれかに記載のＡＦＴＣＦ。
【請求項２９】
少なくとも一つの前記多環式有機化合物は、７Ｈ-ベンゾイミダゾ［２，１-ａ］ベンゾ［ｄｅ］イソキノリン-７-オンのスルホン化物である、請求項２１〜２７のいずれかに記載のＡＦＴＣＦ。
【請求項３０】
少なくとも一つの前記多環式有機化合物は、１５-ジヒドロ-５，９，１４，１８-アントラジンテトラオンのスルホン化物である、請求項２１〜２７のいずれかに記載のＡＦＴＣＦ。
【請求項３１】
少なくとも一つの前記多環式有機化合物は、ビスベンゾイミダゾ［２，１-ａ：１´,２´-ｂ´］アントラ［２，１，９-ｄｅｆ：６，５，１０-ｄ´ｅ´ｆ´］ジイソキノリン-６，１１-ジオンのスルホン化物である、請求項２１〜２７のいずれかに記載のＡＦＴＣＦ。
【請求項３２】
少なくとも一つの前記多環式有機化合物は、トランス異性体を有する混合物でのビスベンゾイミダゾ［２，１-１：１´，２´-ｂ´］アントラックス［２，１，９-ｄｅｆ：６，５，１０-ｄ´ｅ´ｆ´］ジイソキノリン-６，１１-ジオンのスルホン化物である、請求項２１〜２７のいずれかに記載のＡＦＴＣＦ。
【請求項３３】
液晶セル、およびバックライトシステムを備える液晶表示装置であって、
前記バックライトシステムは、
２５０〜４５０ｎｍの波長範囲に少なくとも一つのピークをもつ発光スペクトルを有する光を発する光源、および
前記光源によって発せられる光の光路上に配置される異方性の蛍光結晶薄膜（ＡＦＴＣＦ）を有し、
前記ＡＦ ＴＣＦは、共役π系を有する少なくとも一つの多環式有機化合物のディスク状分子からなる棒状超分子によって形成されており、
前記棒状超分子は、好ましい配向方向を有しており、かつ、前記波長範囲内の光に晒されるとき、偏光された可視光を発するものである、液晶表示装置。
【請求項３４】
液晶セル、および請求項４に記載のバックライトシステムを有する、液晶表示装置。
【請求項３５】
液晶セル、および請求項７〜１７のいずれかに記載のバックライトシステムを有する、液晶表示装置。
【発明の詳細な説明】
【技術分野】
【０００１】
関連出願
本願は、米国仮特許出願第６０/４９０，２０２号（２００３年７月２５日出願）に基づく優先権を主張するものであり、その開示内容は、この引用により本明細書にそっくり記載されたものとする。
【０００２】
本発明は、データ表示装置の分野に関し、また、データ表示装置用のバックライトシステムに関する。より具体的に、本発明は、光源と、光学特性が向上した異方性の蛍光結晶薄膜とを備える液晶表示装置用のバックライトシステムに関する。
【背景技術】
【０００３】
バックライトシステムを有する液晶表示装置（ＬＣＤ）は、生産量およびその性能特性の両方の点において、種々のタイプのデータ表示装置の中で重要な地位を占めている。そのようなＬＣＤは、ラップトップＰＣ、計算機、携帯電話、時計、家庭用ＴＶ、ならびに他の多くの用途および装置に広く用いられている。その広い範囲の応用は、新しい有望なシステムや技術の開発を促進している。その研究開発の特に目的とするところは、バックライトシステムの出力および効率を高めること、そのサイズを小さくすること、ならびにＬＣＤを背面から照らす発光のスペクトル特性および偏光特性を最適化することである。
【０００４】
これらの課題を達成するため主に二つの方法がある。第一に、ＬＣＤを照らす可視光の強度を高めることであり、第二に、部分的に偏光された光を生成するバックライトシステムを用いることである。前者の方法は、発光源出力を増加させること（従って、装置の重量サイズの増加および電力消費の増加）または光源の紫外光（ＵＶ）成分を可視光に変換することのいずれかを伴う。後者の解決法は、偏光プリズムの使用、ブルースター角で光を反射する鏡の使用、または種々のタイプの偏光子の使用を伴う。
【０００５】
存在するＬＣＤの既知のデザインにおいて、画像のコントラストおよび輝度の向上は、蛍光材料を使用すること、およびそのような材料をベースとする素子を使用することによって達成される。例えば、米国特許第４，２１１，４７３号は、装置の一つ以上の部品に多色性材料および蛍光材料を組み込んでコントラストを向上させたＬＣＤを開示する。これらの材料は、バランスのとれた割合で用いられ、相補的な光吸収スペクトルと発光スペクトルを有する。ディスプレイに入射する光束は、強く減衰されるかまたは強く着色される、暗状態の領域からの光に対し、ディスプレイの明状態の領域から目に到達する光がニュートラルグレーとなるように変換される。
【０００６】
ＥＰ１，００４，９２１に開示される他のデザインは、フロント基板とバック基板との間に配置された液晶層と、各基板上にある一つの電極および一つの偏光子と、染料を含む層とを備える。前記染料の層は、ＵＶ照射作用の下で４００〜７００ｎｍの領域において発光する単一の成分であるか、または、発光染料と吸収染料の混合物に相当する。その発明の目的は、光源の発光スペクトル、特にＵＶ領域にある発光スペクトルをより有効に利用することによって、より高い輝度を達成し、画像の彩度を上げ、ＬＣＤの視野角を１８０°にまで広げることである。
【０００７】
蛍光材料は、ＬＣＤにおいて、色を補正し、明るくかつ飽和した色の画像を得るために、使用される。特に、米国特許第４，３６４，６４０号は、出力窓を介して取り出される光を捕捉し、導き、そして集束させるための装置を記載する。前記装置は、環境光を蛍光に変換することができる蛍光成分を含む合成材料からなる少なくとも一つのフレキシブルホイルを有する。前記装置は、前記出力窓から出射する光を透過させる第二および第三のフレキシブルホイルを含んでもよい。一態様において、一対のホイルが、液晶表示装置の後ろに配置される。各ホイルは、蛍光材料を含み、それらの偏光面は互いに直交である。これら二つのホイルの間に配置された光学活性層は、偏光の方向を回転させる。液晶セルの反対側にあるホイルを介して光が取り出されるため、前記セルによって調節された光を見ることとなる。
【０００８】
特開昭６０−６１７２５号公報は、輝度が向上したカラーＬＣＤを記載する。その装置は、カラーフィルターを用いる代わりに、短波長の可視光により発光が励起される、蛍光材料を用いている。
【０００９】
他のタイプの装置として、ＬＣＤを照明するため偏光を用いるものがある。そのような装置において、偏光子は、バックライトシステムの素子の表面に配置されるか、または液晶セルとバックライトシステムとの間に配置される。例えば、偏光機能を有する表面光源装置は、銀箔シートによって囲まれた蛍光ランプを有し、前記シートから、光出射表面および偏光変換部を介して、平行な照明光束が取り出される。前記偏光変換部は、プリズムでの反射を伴う偏光変換作用を介して、表面光源装置の偏光機能を高める。高い輝度の偏光された照明光束が、光出力表面を介して取り出される。そのようなバックライトシステムをＬＣＤにおいて利用する場合、出力光方向調整部がＬＣＤパネルの外に配置される。
【００１０】
ＬＣＤに偏光を照射するもう一つの手段は、ランプと、導光板と反射フィルムとの間に配置された一連のプリズムとを有し、導光板反射部の片側から光を出させかつ集束させる、バックライトユニットによってもたらされる。前記プリズムの表面に入射する光の方向と前記表面の法線との角度がブルースター角に等しくなるよう、前記プリズムはプリズム角を有する。液晶パネルの下面にある偏光板の偏光軸の方向に平行になるよう、前記プリズムは配置される。
【００１１】
非偏光の入射光束のすべてを最小限の損失で偏光に変換することができる最も効果的なシステムは、反射偏光子を用いた、いわゆる光リサイクル機構によってもたらされる。
【００１２】
反射偏光子は、通常、交互に重ねられた異方性層と等方性層とからなる多層構造を有し、ある等方性層の屈折率は、複数の異方性層の一つの屈折率に等しくなっている。この構造は、ある偏光状態の光を透過させることができる一方、それに直交な偏光状態の光を反射することができる。そのような構造の一つにおいて、反射された偏光は、１／４波長板を通過し、その偏光方向を変え、鏡で反射され、そして再度、１／４波長板を通過して反射偏光子に再度入り、このときが第一の偏光状態である。
【００１３】
他の種類の光リサイクル機構は、反射偏光子から反射された光成分の偏光解消を必要とするものである。これは、例えば、拡散反射板を用いることにより達成することができる。反射に際し、非偏光の光が、反射偏光子に入る。
【００１４】
上述した方法およびＬＣＤデザインの解決法は、必要なスペクトル特性および望ましいサイズ（薄膜装置用に意図されるものを含む）を有する明るく高効率の偏光発生源を得るという総合的な問題の解決することよりも、バックライトシステムの個々の特性を向上させることを目的とするものである。
【発明の開示】
【発明が解決しようとする課題】
【００１５】
本発明の目的は、バックライトシステムおよび光源のスペクトル特性と適合した光学的パラメーターを有する異方性の蛍光結晶薄膜を提供することにある。
【００１６】
本発明の一態様により明らかにされるバックライトシステムは、２５０〜４５０ナノメートルの波長範囲において少なくとも一つのピークをもつ発光スペクトルを有する少なくとも一つの光源を有する。異方性の蛍光結晶薄膜（anisotropic fluorescent thin crystal film （ＡＦ ＴＣＦ））は、バックライトシステムの少なくとも一つの素子上に配置され、光源によって発せされる光の光路上に存在するようになっている。前記異方性の蛍光結晶薄膜は、共役π系を有する少なくとも一つの多環式有機化合物のディスク状分子からなる棒状超分子によって形成され、前記波長範囲からの光に晒されるとき、偏光された可視光を発する。
【００１７】
他の態様により、本開示のバックライトシステムを有する液晶表示装置が提供される。
【発明を実施するための最良の形態】
【００１８】
本発明の他の目的および効果は、以下に説明する図面を参照して、発明の詳細な説明および請求の範囲を読むことにより、明らかとなる。
【００１９】
いくつかの有機染料分子の特徴として、超分子の液晶中間相を形成できる能力がある。周辺の官能基を含む有機染料の中間相は、特定の構造、状態図、光学特性、および溶解能力によって特徴づけられる（J. M. Lehn, Supramolecular Chemistry （New York, 1998））。
【００２０】
リオトロピック液晶（ＬＬＣ）系を形成することができる二色性染料を用いることにより、高度な光学異方性を有するＴＣＦを得ることができる。そのようなフィルムは、超分子複合体の光学吸収特性に関係している、Ｅ型偏光子の性質を示し、そして、吸収がわずかであるスペクトル領域において位相差板（位相シフトフィルム）として作用する。これらの異方性フィルムの位相特性は、その複屈折性（複屈折）、すなわち、ＬＬＣ溶液を基板に塗布した方向において測定した屈折率とそれに直交な方向において測定した屈折率との差によるものである。強い（耐光性の）染料分子をベースとするＬＬＣ系から形成されるフィルムは、高い熱安定性および耐光性を特徴とする。そのようなＴＣＦは、オプティバ（Optiva）テクノロジーとして知られる方法により得ることができる（国際公開ＷＯ０３／００７０２５、米国特許出願公開公報２００３-０１５４９０９および２００４-０６７３２４、ならびにP. Lazarev and M. Paukshto, Proceedings of the ７th International Workshop "Displays, Materials and Components" （Kobe, Japan, November 29-December 1, 2000）， pp. 1159-1160参照）。
【００２１】
ＡＦ ＴＣＦを得るため、特定の液晶セルに要求される光学パラメーターに応じて、また特定のバックライトシステムに用いられる光源を考慮して、選択する、本発明に開示の同じ方法が用いられた。そのようなフィルムのための基礎材料の選択は、要求される光学特性（バックライトシステムに使用される光源の発光スペクトルおよびＬＣＤの作動に必要な発光帯に対応する、適当なフォトルミネセンス励起帯の存在）に応じて決定される。他の必要な条件は、分子の共役芳香環にπ共役結合の発達した系が存在すること、および、前記分子の平面内に存在しかつ前記芳香系の結合に加わる基（例えば、アミン、フェノール、ケトンなど）が存在することである。前記分子および／またはそれら分子のフラグメントは、平面構造を有しており、かつ、安定したリオトロピック液晶相を形成することができる。
【００２２】
適当な溶媒に溶解されるとき、そのような有機化合物は、分子が集合して系の動力学的単位を構成する超分子となる、コロイド系（リオトロピック液晶溶液）を形成する。この液晶相は実質的に、秩序づけられた状態の系の前駆体であり、前記前駆体から、固体の光学的に異方性の（二色性の）結晶フィルム（薄膜結晶とも呼ばれる）が、その後の超分子の配向および溶媒の除去を経て形成される。
【００２３】
超分子複合体を含むコロイド系から異方性の結晶フィルムを合成するために設定される方法は、以下の段階を含む。
基材上（または装置もしくは多層構造の層上）に、上述したコロイド系を塗布する段階。ここで、前記コロイド系は、チキソトロピー性を有する必要があり、それは、予め設定した温度および分散相の所定の濃度を維持することによりもたらされるものである。
（i）前記溶液の粘度を低下させる任意の外部作用（加熱、剪断歪作用など）により、塗布されたコロイド系を高流動性の状態に変換する段階。ここで、この作用は、後の配向段階全体の間または最後の最小限必要な時間の間のいずれかにおいて、付与することができ、それにより、前記系が、配向段階の間、粘度の増加した状態に戻らないようにするものである。
（ii）前記系への外部からの配向作用の段階。ここで、前記作用は、機械的因子を用いるか、またはそれ以外の手段により、発生させることができる。前記外部作用の程度は、前記コロイド系の動力学的単位が必要な配向を獲得し、かつ異方性結晶薄膜の結晶格子の基礎として作用する構造を形成するように、十分なものでなければならない。
（iii）前記粘度が低下した状態から、前記外部作用によって達成された、前記層の配向領域を、初期の状態またはより高い粘度の状態に変換する段階。ここで、この変換は、電気光学異方性結晶薄膜構造が非配向にないように、また、表面欠陥が生じないよう、行われる。
（iv）溶媒除去（乾燥）の最終段階。これによって、最終的な異方性結晶薄膜構造が形成される。
【００２４】
得られる異方性ＴＣＦにおいて、分子平面は互いに平行であり、その分子は、前記層の少なくとも一部において、三次元的結晶構造を形成する。
【００２５】
製造技術の最適化により、単結晶フィルムの形成が可能となりうる。ＵＶまたは青色光の照射の下、前記フィルムが少なくとも部分的に偏光された蛍光を発生するのを確実にするため、前記構造が少なくともその軸の一つに沿って結晶性の秩序を保持することが必要である。ＵＶまたは青色光によって生じる蛍光の偏光度は、前記フィルムの結晶度と相関関係がある。そのような結晶において、光軸は分子の平面に直交である。そのようなＴＣＦは、高度の異方性を有し、そして、少なくとも一つの方向において、高い屈折率を示す。前記フィルムの厚みは、通常、１μｍを超えない。
【００２６】
ＡＦ ＴＣＦの厚みは、塗布する溶液中の固体物質の含有量および塗布する層の厚みにより、調節することができる。望ましい光学特性を有するフィルムを得るため、混合したコロイド系を用いることができる（そのような混合物は、共同の超分子を形成することができる。）
【００２７】
染料溶液の混合によって、種々の含有物の混合集合体が形成される。染料混合物溶液についてのＸ線回折パターンを解析することによって、３．１〜３．７Åの範囲の格子面間隔に対応する特徴的な回折ピークにより、超分子における分子の充填状態を知ることができる。一般的に、この値は、結晶および集合体における芳香族化合物に共通している。ピークの強度および鋭さは、乾燥中に高まるが、ピーク位置は変化が見られなかった。この回折ピークは、集合体の積層物における分子間間隔に対応するものであり、種々の材料のＸ線回折パターンに見られるものである。
【００２８】
分子（またはそのフラグメント）が平面構造を有すること、および、検討する複数の有機化合物において、ある一つの分子サイズが一致することは、前記混合において好ましい。塗布された水性の層において、有機分子は、基板表面における超分子の配向に関連する、一つの方向に長い距離にわたって秩序を有する。溶媒を蒸発させるとき、三次元的結晶構造を形成することは、分子にとってエネルギー的に有利である。
【００２９】
本発明によるバックライトシステムは、ＵＶ光源（またはＵＶもしくは青色光の成分が発光スペクトルにある光源）、および、前記光源と前記バックライトシステムの出力部との間において前記バックライトシステムの少なくとも一つの素子の表面に配置される、異方性の蛍光結晶薄膜（ＡＦＴＣＦ）を有する。そのようなＡＦ ＴＣＦは、上述したように形成される。
【００３０】
前記バックライトシステム用の光源は、バンドスペクトルなどを有するもの（Ｈｇ，Ｈ，Ｘｅランプなど）などの低圧または高圧のガス放電ランプ；高圧および超低圧のアーク放電ランプ；パルスプラズマ放電ランプ；発光光源；および同様のシステムに用いられる任意の他の光源とすることができる。
【００３１】
上述した光源は、通常、２６０〜４５０ｎｍの波長範囲において、少なくとも一つの強い発光ピークを示す。光源の発光スペクトルの上記ピークに対応するバンドをもつルミネセンス励起スペクトルをフィルム材料が有するよう、ＡＦＴＣＦを選択する。
【００３２】
前記ＡＦ ＴＣＦは、可視スペクトル領域において、無色（透過性）または色つき（吸収性）とすることができる。後者の場合、前記フィルムは、特定の光学特性に応じて、偏光を発する主機能と同時に、可視光を位相させるかまたは偏光させる機能を発揮してもよい。
【００３３】
さらに、ＡＦ ＴＣＦが十分に狭いスペクトル範囲内で偏光を発するよう、フィルム材料を選択することができる。そのようなフィルムは、偏光されたカラー光の光源を作るために、特に、カラーＬＣＤのバックライトシステムに使用するカラーマトリックスに用いることができる。発光光源を用いることにより、より鮮明な色の画像が得られ、また、前記システムの内部素子における吸収損失の減少の代わりに光収率の増加がもたらされる。
【００３４】
いくつかの場合、ＡＦ ＴＣＦの上方またはバックライトシステムの上にさらなる偏光子を配置することによって、可視光の偏光を行うことができる。そのような場合、上述した棒状超分子の軸は、前記偏光子の吸収軸に沿って向けられる。
【００３５】
バックライトシステムは、さらに他の光学素子、例えば、光コリメーター、鏡面反射板または拡散反射板、略Ｖ形状の溝のネットワークの形態をとる反射板などを含んでもよい。これらの素子は、光源によって発せられた光を集め導く機能を発揮することができる。
【００３６】
光源によって発せられる光をより効果的に偏光させるため、反射素子を、光の伝播方向に対してブルースター角の向きに設定することができる。この場合、反射に際して光はさらに偏光される。この反射素子は、通常、独立したステップ、プリズム等の形状を有する。本発明の範囲内において、そのような素子は、ＡＦＴＣＦで覆うこともできる。そのようなフィルムは、発光の偏光面が光源スペクトルの反射された可視光の偏光面と一致するよう、配向させる必要がある。実質的にすべての非偏光の可視光を最小限の損失で偏光に変換できる最も効果的な方式は、反射偏光子を用いた光リサイクル機構である。
【００３７】
前記光リサイクル機構は、通常、反射偏光子と反射板を含み、さらに、ある場合は、前記反射偏光子と前記反射板との間に配置された１／４波長板を含む。本発明による光リサイクル機構は、光源と反射偏光子との間にさらなるＡＦＴＣＦを含み、それは、光源によって発せられるＵＶ光の少なくとも一部を部分的に偏光された可視光に変換する。
【００３８】
反射偏光子は、一つの偏光状態の可視光を透過させることができる一方、それに直交な偏光状態の光をすべて反射することができる。１／４波長板を通過し、反射された偏光は、その偏光方向を変え、鏡で反射され、再度、１／４波長板を通過し、そして反射偏光子に再度入射し、このときが、第一の偏光状態である。ＡＦＴＣＦおよび反射偏光子は、反射偏光子の透過軸がＡＦ ＴＣＦによって出射される発光の偏光面と一致するように（すなわち、その軸が上述した棒状超分子の軸に直交となるように）、配置される。
【００３９】
上述したバックライトシステムすべてを、ＬＣＤ用の有効なバックライトシステムに用いることができる。
【００４０】
図１〜６は、本発明によるいくつかのバックライトシステムの模式的断面図を示す。図１に示すバックライトシステムにおいて、光源１は、例えば、発光ランプまたはＬＥＤマトリックスである光源の組立て品である。ＡＦＴＣＦ２は、前記光源組立て品上に直接付与されている。バックライトシステムの後ろに配置された反射板３は、光源の発光のより有効な利用をもたらす。前記反射板は、任意のタイプ（鏡面反射または拡散反射）とすることができる。
【００４１】
図２は、本発明の他の態様を示し、片側に配置された光源５を有するバックライトシステムを示す。そのような構成は、通常、バックライトシステムを有する装置（例えばＬＣＤ）の全体の厚みを減らすため用いられる。光源によって発せられた光は、導光板６に導入され、拡散反射板７で反射されて、ＡＦＴＣＦ２に当たる。可視光のさらなる二色性偏光子４を、バックライトシステムの上に配置することができる。このシステムは、可視スペクトル領域における偏光を出射し、単一のフロント偏光子を有する透過型ＬＣＤ用のバックライトシステムとして用いることができる。
【００４２】
本発明の他の態様として、バックライトシステムは、その上に配置される位相差板、カラーフィルター、あるいは、他の何らかのさらなる光学素子を含むことができる。
【００４３】
図３は、反射素子を用いたデザインを示すものであり、反射部材の表面は、光源によって発せられる光の方向に対して、ブルースター角の向きに設定されている。この構成をもたらすために、反射板８は、独立したステップの形状を有することができ、各ステップは、所定の傾斜面を有する。
【００４４】
他の態様において、反射板のすべての独立したステップは、別々の素子によって形成される。この場合、反射素子の表面は、略Ｖ形状である溝のネットワークによって覆われる。
【００４５】
ＡＦ ＴＣＦを製造するカスケード結晶化技術（Cascade Crystallization technology）を用いることにより、要求される角度の反射板のステップ（図６）上に、直接、フィルム２を適用することができる。フィルム２は、発光の偏光面が、光源５のスペクトルの可視部における反射光の偏光面と一致するように、向きが設定される。
【００４６】
図４は、高光度（高輝度）バックライトシステムの構成を示し、それは、例えば、投影型のＬＣＤに用いることができる。このシステムは、光源５、反射板９、ＡＦＴＣＦ２、収束レンズ１０、反射偏光子１１、および１／４波長板１２を備える。前記反射偏光子は、隣接する複数対の材料層の多層積層物である。これらの対のそれぞれは、反射偏光子の面の一方向において隣接する層間で屈折率差を示し、第一の方向に直交である、反射偏光子の面のもう一つの方向において隣接する層間で屈折率差を実質的に示さない。１／４波長板１２は、反射偏光子１１に固定されている。ＡＦＴＣＦは、光源の発光スペクトルのＵＶ部分を、少なくとも部分的に偏光されている可視光に変換する。光源５からの光線は、反射偏光子を通過してＬＣＤ（図示せず）に至るか、または、その偏光状態に応じて光源の方向に反射されて戻される。反射偏光子によって反射された光は、反射板によって反射され、再度ＬＣＤの方向に戻される。１／４波長板および反射板の使用は、一般に無駄とされる光をリサイクルするのに役立ち、同時に、ＬＣＤ内での熱の蓄積を減少させる。
【００４７】
一態様において、バックライトシステムは、光コリメーターとして働くさらなる光学素子を有する。図５に示すバックライトシステムは、光源５、導光板６、ＡＦＴＣＦ２（これは、偏光される発光の光源であり、同時に、光源により発せられる可視光の拡散反射板であるように配置される）、およびプリズム１３の組立て品である追加の光学素子を有する。この素子は、バックライトシステムの面に垂直な光線を透過させると同時に前記透過光の偏光度を高めることにより光コリメーターの機能を発揮する。また、このバックライトシステムには、前記システムの出力部に配置されるさらなる二色性偏光子４が設けられる。
【００４８】
また、バックライトシステムは、図７のように、特にカラーＬＣＤに用いるため、スペクトル的に純粋な偏光の光源となることができる。このバックライトシステムは、３６０〜４２０ｎｍの範囲にる優勢な発光ピークを有する光源１８と、種々のスペクトル範囲において偏光を発する個々の要素のマトリックスとなっているＡＦＴＣＦ１９とを含む。マトリックスの隣接する要素は、ＲＧＢ（赤-緑-青）三原色を生成させる。
【００４９】
上記バックライトシステムは、液晶表示装置において用いることができる。図８のＬＣＤは、対応する機能層および二色性偏光子を有するフロントパネル１４およびリヤパネル１６と、液晶材料層１５と、バックライトシステムとを有する。後者は、光源５、導光板６、拡散反射板１３、およびＡＦＴＣＦ２を有し、これは、偏光される発光の光源である。このＬＣＤデザインは、輝度を高め、そしてある場合、上述したように演色を向上させる。
【実施例】
【００５０】
図９〜１２は、異なる材料から製造されたＡＦ ＴＣＦの光学的性能についてのデータを示す。ＩｓおよびＩｐは、２５０〜４５０ナノメートルの波長範囲に発光スペクトルを有する光源からの光に応答した異なる二つの偏光方向についての蛍光の強度である。
【００５１】
図９は、ビスベンゾイミダゾ［２，１-ｂ:１´，２´-ｊ］ベンゾ［ｌｍｎ］［３，８］フェナントロリン-６，９-ジオンのスルホン化物から調製されたＡＦ ＴＣＦの蛍光性能についてデータを示す。
【００５２】
図１０は、７Ｈ-ベンゾイミダゾ［２，１-ａ］ベンゾ［ｄｅ］イソキノリン-７-オンのスルホン化物から調製されたＡＦＴＣＦの蛍光性能についてデータを示す。
【００５３】
図１１は、インダントロン（６，１５-ジヒドロ-５，９，１４，１８-アントラジンテトラオン）のスルホン化物から調製されたＡＦ ＴＣＦの蛍光性能についてデータを示す。
【００５４】
図１２は、ビスベンゾイミダゾ［２，１-ａ：１´,２´-ｂ´］アントラ［２，１，９-ｄｅｆ：６，５，１０-ｄ´ｅ´ｆ´］ジイソキノリン-６，１１-ジオンのスルホン化物（トランス−異性体を有する混合物）のスルホン化物から調製されたＡＦＴＣＦの蛍光性能についてデータを示す。
【００５５】
本発明の特定の態様および具体例について示してきたものは、例示と説明を目的とするものである。本発明は、以上のいくつかの具体例によって明らかにされてきたが、それによって本発明を限定的に解釈すべきものではない。それらは、本発明を完全に網羅するものでもなく、また、本発明を開示したそのものずばりの形態に限定しようとするものでもない。上述した開示に照らして多くの変更・修飾、具体例および変形例が可能であることは明らかである。本発明の技術的範囲は、ここに開示した包括的な領域を包含し、添付した請求の範囲およびその均等の範囲によって包含すべきである。
【図面の簡単な説明】
【００５６】
【図１】光源上に直に配置されたＡＦ ＴＣＦを有する本発明によるバックライトシステムの模式的断面図である。
【図２】片側に配置された光源を有するバックライトシステムの模式的断面図である。
【図３】光源によって発せられる光の方向に対してブルースター角に配置された反射素子を有するバックライトシステムの模式的断面図である。
【図４】光リサイクルの構成を有する高光度バックライトシステムの模式的断面図である。
【図５】光コリメーターとしてプリズムの組立品を有するバックライトシステムの模式的断面図である。
【図６】反射板のステップ上に直接適用されたＡＦ ＴＣＦを有するバックライトシステムの模式的断面図である。
【図７】本発明によるカラーバックライトシステムの動作を示す図である。
【図８】本発明による液晶表示装置の模式的断面図を示す。
【図９】異なる有機化合物からなるＡＦ ＴＣＦの光学性能に関するデータを示すグラフである。
【図１０】異なる有機化合物からなるＡＦ ＴＣＦの光学性能に関するデータを示すグラフである。
【図１１】異なる有機化合物からなるＡＦ ＴＣＦの光学性能に関するデータを示すグラフである。
【図１２】異なる有機化合物からなるＡＦ ＴＣＦの光学性能に関するデータを示すグラフである。
【図１】
2007508661.tif 000003
【図２】
2007508661.tif 000004
【図３】
2007508661.tif 000005
【図４】
2007508661.tif 000006
【図５】
2007508661.tif 000007
【図６】
2007508661.tif 000008
【図７】
2007508661.tif 000009
【図８】
2007508661.tif 000010
【図９】
2007508661.tif 000011
【図１０】
2007508661.tif 000012
【図１１】
2007508661.tif 000013
【図１２】
2007508661.tif 000014
【国際調査報告】
2007508661.tif 000015
2007508661.tif 000016
2007508661.tif 000017